(57)【特許請求の範囲】
【請求項１】
画像データを入力する入力部と、
前記画像データを縮小したサムネイル画像を表示する表示部と、
前記サムネイル画像の選択を含む印刷注文の入力を受け付ける受付部と、
前記印刷注文に基づいて前記画像データを印刷するプリンタと、
を備え、
前記表示部は、複数のサムネイル画像をグループ化し、該複数のサムネイル画像のうち代表画像のみを表示し、
前記受付部が展開表示指示を受け付けると、前記表示部は、グループ化している複数のサムネイル画像を展開表示し、
前記表示部は、前記サムネイル画像を表示する第１ディスプレイと、グループ化している複数のサムネイル画像を展開表示する第２ディスプレイとを有することを特徴とする画像プリント装置。
【請求項２】
画像データを入力する入力部と、
前記画像データを縮小したサムネイル画像を表示する表示部と、
前記サムネイル画像の選択を含む印刷注文の入力を受け付ける受付部と、
前記印刷注文に基づいて前記画像データを印刷するプリンタと、
を備え、
前記表示部は、複数のサムネイル画像をグループ化し、該複数のサムネイル画像のうち代表画像のみを表示し、
前記受付部が展開表示指示を受け付けると、前記表示部は、グループ化している複数のサムネイル画像を展開表示し、
前記表示部は、グループ化している複数のサムネイル画像を展開表示する第１領域、及び前記第１領域から削除された画像を表示する第２領域を作成し、
前記第２領域における各画像の表示サイズは、前記第１領域における各画像の表示サイズよりも小さいことを特徴とする画像プリント装置。
【請求項３】
前記代表画像は、グループ化された複数の画像のうち、撮影日時の最も古い画像、又は印刷注文枚数の最も多い画像であることを特徴とする請求項１又は２に記載の画像プリント装置。
【請求項４】
前記入力部を介して入力された画像データから、撮影日時の差が所定値以下の画像を検索し、グループ化する画像として設定する制御部をさらに備えることを特徴とする請求項１乃至３のいずれかに記載の画像プリント装置。
【請求項５】
前記入力部を介して入力された画像データを用いて画像間の類似度を算出し、類似度が所定値以上の画像をグループ化する画像として設定する制御部をさらに備えることを特徴とする請求項１乃至３のいずれかに記載の画像プリント装置。
【請求項６】
画像データを入力する入力部と、
前記画像データを縮小したサムネイル画像を表示する表示部と、
前記サムネイル画像の選択を含む印刷注文の入力を受け付ける受付部と、
前記印刷注文に基づいて前記画像データを外部へ送信する通信部と、
を備え、
前記表示部は、複数のサムネイル画像をグループ化し、該複数のサムネイル画像のうち代表画像のみを表示し、
前記受付部が展開表示指示を受け付けると、前記表示部は、グループ化している複数のサムネイル画像を展開表示し、
前記表示部は、前記サムネイル画像を表示する第１ディスプレイと、グループ化している複数のサムネイル画像を展開表示する第２ディスプレイとを有することを特徴とする注文受付端末。
【請求項７】
画像データを入力する入力部と、
前記画像データを縮小したサムネイル画像を表示する表示部と、
前記サムネイル画像の選択を含む印刷注文の入力を受け付ける受付部と、
前記印刷注文に基づいて前記画像データを外部へ送信する通信部と、
を備え、
前記表示部は、複数のサムネイル画像をグループ化し、該複数のサムネイル画像のうち代表画像のみを表示し、
前記受付部が展開表示指示を受け付けると、前記表示部は、グループ化している複数のサムネイル画像を展開表示し、
前記表示部は、グループ化している複数のサムネイル画像を展開表示する第１領域、及び前記第１領域から削除された画像を表示する第２領域を作成し、
前記第２領域における各画像の表示サイズは、前記第１領域における各画像の表示サイズよりも小さいことを特徴とする注文受付端末。
【発明の詳細な説明】
【技術分野】
【０００１】
本発明は、利用者が所有する記憶媒体や携帯端末等に記憶されている画像データをプリント出力する画像プリント装置、及び画像データのプリント注文を受け付ける注文受付端末に関する。
【背景技術】
【０００２】
デジタルカメラやスマートフォン等で撮影した画像のデジタルデータを読み込んでプリント出力する画像プリント装置が様々な場所に設置されている。例えば、利用者は、デジタルカメラで撮影した画像データが記憶された記憶媒体を持参し、記憶媒体内の画像データを画像プリント装置に読み込ませる。画像プリント装置は、記憶媒体から読み込んだ画像データの画像をページ単位でサムネイル表示し、利用者に提示する。そして、利用者がプリントする画像を選択し、プリント枚数等を指定すると、画像プリント装置は画像をプリント出力する。
【０００３】
記憶媒体に大量の画像データが記憶されている場合、利用者はプリントを所望する画像を選択するために、ページの切り替えを何度も行い、大量のページを確認することになるため、所望の画像を探し出すのに非常に手間がかかっていた。
【先行技術文献】
【特許文献】
【０００４】
【特許文献１】特開２０１２−３５６８号公報
【発明の概要】
【発明が解決しようとする課題】
【０００５】
本発明は、上記従来の実状に鑑みてなされたものであり、大量の画像から所望の画像を容易に探し出すことができる画像プリント装置及び注文受付端末を提供することを課題とする。
【課題を解決するための手段】
【０００６】
本発明の一態様による画像プリント装置は、画像データを入力する入力部と、前記画像データを縮小したサムネイル画像を表示する表示部と、前記サムネイル画像の選択を含む印刷注文の入力を受け付ける受付部と、前記印刷注文に基づいて前記画像データを印刷するプリンタと、を備え、前記表示部は、複数のサムネイル画像をグループ化し、該複数のサムネイル画像のうち代表画像のみを表示するものである。
【０００７】
本発明の一態様による画像プリント装置において、前記受付部が展開表示指示を受け付けると、前記表示部は、グループ化している複数のサムネイル画像を展開表示することが好ましい。
【０００８】
本発明の一態様による画像プリント装置において、前記表示部は、前記サムネイル画像を表示する第１ディスプレイと、グループ化している複数のサムネイル画像を展開表示する第２ディスプレイとを有することが好ましい。
【０００９】
本発明の一態様による画像プリント装置において、前記表示部は、グループ化している複数のサムネイル画像を展開表示する第１領域、及び前記第１領域から削除された画像を表示する第２領域を作成し、前記第２領域における各画像の表示サイズは、前記第１領域における各画像の表示サイズよりも小さいことが好ましい。
【００１０】
本発明の一態様による画像プリント装置において、前記代表画像は、グループ化された複数の画像のうち、撮影日時の最も古い画像、又は印刷注文枚数の最も多い画像であることが好ましい。
【００１１】
本発明の一態様による画像プリント装置において、前記入力部を介して入力された画像データから、撮影日時の差が所定値以下の画像を検索し、グループ化する画像として設定する制御部をさらに備えることが好ましい。
【００１２】
本発明の一態様による画像プリント装置において、前記入力部を介して入力された画像データを用いて画像間の類似度を算出し、類似度が所定値以上の画像をグループ化する画像として設定する制御部をさらに備えることが好ましい。
【００１３】
本発明の一態様による注文受付端末は、画像データを入力する入力部と、前記画像データを縮小したサムネイル画像を表示する表示部と、前記サムネイル画像の選択を含む印刷注文の入力を受け付ける受付部と、前記印刷注文に基づいて前記画像データを外部へ送信する通信部と、を備え、前記表示部は、複数のサムネイル画像をグループ化し、該複数のサムネイル画像のうち代表画像のみを表示するものである。
【発明の効果】
【００１４】
本発明によれば、撮影日時の近い画像や内容が類似した画像等をグループ化して表示することで、表示されるサムネイル画像の数が減少し、所望の画像を容易に探し出すことができる。
【図面の簡単な説明】
【００１５】
【図１】本発明の第１の実施形態に係る画像プリント装置のブロック構成図である。
【図２】同第１の実施形態に係る画像プリント装置の概略斜視図である。
【図３】画像をグループ化した場合の表示画面の一例を示す図である。
【図４】グループ化した画像を展開表示した場合の表示画面の一例を示す図である。
【図５】グループ化した画像を注文した場合の表示画面の一例を示す図である。
【図６】グループ化した画像の代表画像の切り替え例を示す図である。
【図７】画像のグループ化を解除した場合の表示画面の一例を示す図である。
【図８】同第１の実施形態に係る画像プリント処理を説明するフローチャートである。
【図９】本発明の第２の実施形態に係る画像プリント装置の概略斜視図である。
【図１０】第１タッチパネルの表示画面の一例を示す図である。
【図１１】第２タッチパネルの表示画面の一例を示す図である。
【図１２】変形例による画像プリント装置の概略斜視図である。
【発明を実施するための形態】
【００１６】
以下、本発明の実施の形態を図面に基づいて説明する。
【００１７】
＜第１の実施形態＞
図１は第１の実施形態による画像プリント装置のブロック構成図であり、図２は画像プリント装置の概略斜視図である。図１に示すように、画像プリント装置は、タッチパネル（表示部、操作部）１０、データ入力部１１、課金部１２、プリンタ１３、ＣＰＵ（中央処理部）１４、ディスク装置（記憶部）１５、及びメインメモリ１６を有する。画像プリント装置の各部はバスを介して接続されている。
【００１８】
タッチパネル１０は、画像を含む情報を表示したり、利用者から各種指示の入力を受け付けたりする。例えば、タッチパネル１０は、利用者から、プリント出力する画像データの選択や、選択された画像データのプリント枚数指定などを受け付ける。図２に示すように、タッチパネル１０は、画像プリント装置の筐体１の上部に設けられ、ディスプレイ画面は略垂直に立った状態となっている。
【００１９】
データ入力部１１は、デジタルカメラ等で撮影した画像データが記憶された記憶媒体から画像データを読み取ることで、画像データの入力を受け付ける。データ入力部１１は、様々な記憶媒体に対応したデータ読取装置を有している。また、データ入力部１１は、赤外線通信又は無線通信により携帯端末から画像データの入力を受け付けることができる。図２に示すように、データ入力部１１は筐体１の上部、具体的には筐体１の天板１Ａとタッチパネル１０との間に設けられている。
【００２０】
図２に示すように、課金部１２は、筐体１の前面側に設けられた硬貨投入口１２Ａ、紙幣投入口１２Ｂ、釣銭返却口１２Ｃを有し、硬貨投入口１２Ａ及び紙幣投入口１２Ｂから投入された貨幣を識別計数し、釣銭を釣銭返却口１２Ｃから放出する。また、課金部１２は、電子マネーによる決済機能を有していてもよい。また、課金部１２は、プリント枚数、単価、請求金額、投入金額、釣銭額等をレシートに印字して出力するレシートプリンタを有していてもよい。
【００２１】
プリンタ１３は、昇華型又はインクジェット型などの高解像度カラープリンタであり、注文内容に基づいて、画像データをプリントして出力する。プリンタ１３は筐体１内に収容されている。プリンタ１３は複数台設置されていてもよい。図２に示すように、筐体１の前面側には、透明な開閉扉２が開閉自在に設けられている。開閉扉２の裏面側には、プリンタ１３がプリント出力したプリント物が集積される集積部（図示せず）が設けられており、開閉扉２を開けると集積部に集積されたプリント物を取り出せるようになっている。
【００２２】
ディスク装置１５は、画像処理プログラム、制御プログラム、及び画像データに対して合成可能な素材画像データを格納する。ディスク装置１５は例えばハードディスクドライブである。
【００２３】
ＣＰＵ１４は、ディスク装置１５内の画像処理プログラムをメインメモリ１６にロードして、画像処理プログラムを実行する。画像処理プログラムの実行に伴い、メインメモリ１６には、入力された画像データや注文内容などを格納する領域が確保される。
【００２４】
また、ＣＰＵ１４は、ディスク装置１５内の制御プログラムをメインメモリ１６にロードし、制御プログラムを実行することで、タッチパネル１０、課金部１２及びプリンタ１３を制御する制御部１４０として機能する。
【００２５】
制御部１４０は、データ入力部１１を介して記憶媒体や携帯端末から画像データが入力されると、図３に示すように、画像データを縮小したサムネイル画像をタッチパネル１０に表示する。データ入力部１１を介して入力された画像データの数が多い場合は、ページ切替ボタン３１を押下（接触）してページを切り替えることで、全てのサムネイル画像を確認することができる。各サムネイル画像の両側部には拡大ボタン３２及び編集ボタン３３が設けられている。拡大ボタン３２を押下することで、このサムネイル画像を拡大表示することができる。編集ボタン３３を押下すると、タッチパネル１０の表示が、この画像を編集する編集画面に切り替わり、画像データに対して素材画像データを合成する等の画像編集加工が行えるようになっている。
【００２６】
各サムネイル画像の下部には、その画像のプリント枚数を指定するプリント枚数増減ボタン３４が設けられている。利用者はプリント枚数増減ボタン３４を押下し、各画像のプリント枚数を指定し、印刷注文を入力することができる。
【００２７】
画像プリント装置は、互いに近似する複数の画像をグループ化し、そのうちの１つ（代表画像Ｐ）をタッチパネル１０にサムネイル表示する。近似する画像は制御部１４０により検索される。例えば、制御部１４０は、データ入力部１１を介して入力された画像データの撮影日時を検出し、撮影日時の近い画像をグループ化する。例えば、撮影日時の差が３秒以内である画像をグループ化するものとし、３０秒間にわたって３秒間隔で撮影された１１枚の画像がある場合、これら１１枚の画像がグループ化される。このような撮影日時の差に基づくグループ化により、例えば、デジタルカメラの連続撮影（連写）モードで撮影した画像をグループ化することができる。
【００２８】
また、例えば、制御部１４０は、画像間の類似度を算出し、類似度の高い（類似度が所定値以上の）画像をグループ化する。画像間類似度は公知の手法により算出することができ、例えば、画素値のヒストグラムを用いる手法、画素値の平均を用いる手法等により算出することができる。このような類似度に基づくグループ化により、同じ人物や同じ風景を撮影した画像をグループ化することができる。
【００２９】
このように、連写画像や撮影対象の類似した画像をグループ化し、その中の代表画像Ｐのみをタッチパネル１０にサムネイル表示することで、タッチパネル１０に表示されるサムネイル画像の数が減少する。そのため、データ入力部１１を介して大量の画像データが入力され、タッチパネル１０に大量のサムネイル画像が表示される場合であっても、互いに近似する複数の画像をグループ化して表示することで、サムネイル画像の表示数が減少し、プリントを所望する画像を選択するためのページ切り替え回数が少なくて済み、所望の画像を探し出す手間を軽減することができる。
【００３０】
グループ化した画像は、グループ化されていない画像と容易に区別がつくように、図３に示すように、複数の画像が重なっているように表示したり、周囲の色を変えたり、拡大ボタン３２、編集ボタン３３、プリント枚数増減ボタン３４を表示しないようにしたりする。
【００３１】
グループ化した画像の上部には、展開表示ボタン３５が設けられており、この展開表示ボタン３５を押下することで、グループ化した複数の画像が展開表示される。例えば、展開表示ボタン３５が押下されると、図４に示すように、展開表示領域４０及び削除領域４４がポップアップ表示される。展開表示領域４０では、各画像に対して、編集ボタン３３及びプリント枚数増減ボタン３４が設けられ、画像の編集加工や、プリント枚数の指定が行えるようになっている。
【００３２】
展開表示領域４０では、各画像に対して削除ボタン４２が設けられており、削除ボタン４２を押下すると、対応する画像が展開表示領域４０の下部に設けられた削除領域４４に移動し、展開表示領域４０から削除される。削除領域４４における画像表示サイズは、展開表示領域４０における画像表示サイズよりも小さくなっている。削除領域４４において、各画像には復帰（戻る）ボタン４６が設けられており、この復帰ボタン４６を押下することで、画像は削除領域４４から展開表示領域４０に戻される。
【００３３】
利用者は、展開表示領域４０において隣接する画像を比較し、好みでない方の画像の削除ボタン４２を押下し削除領域４４へ移動させていくことで、グループ化された画像を順次並べて比較しながら、最良の画像を選択し、印刷注文することができる。
【００３４】
グループ化画像の展開表示を終了する場合は、終了ボタン４８を押下する。終了ボタン４８を押下することで、ポップアップ画面が閉じる。
【００３５】
グループ化された画像についてプリント注文を行った場合、図５に示すように、同一グループ内の合計注文枚数Ｎを表示してもよい。
【００３６】
グループ化された画像のうち、サムネイル画面で表示される代表画像Ｐは、撮影日時の最も古い画像としてもよいし、注文枚数の最も多い画像としてもよい。また、図６に示すように、代表画像Ｐを切り替える代表画像切替ボタン３６を設け、代表画像を切り替えられるようにしてもよい。
【００３７】
タッチパネル１０には、グループ化解除ボタン３７が設けられている。このグループ化解除ボタン３７を押下することで、全てのグループのグループ化が一括解除され、図７に示すように、グループ化されていた複数の画像はサムネイル画面に個別に表示される。これにより、図４に示すようなポップアップ画面でなく、サムネイル画面に、例えば多数の連写画像を一度にまとめて表示することができる。グループ化を解除した状態で、再グループ化ボタン３８（図７参照）を押下すると、画像が再グループ化される。
【００３８】
グループ化の解除は、条件毎に行えるようにしてもよい。例えば、画像のグループ化は、撮影日時や類似度に基づいて行われているため、撮影日時によるグループ化のみ解除したり、類似度に基づくグループ化のみ解除したりしてもよい。
【００３９】
本実施形態では、制御部１４０は、連写画像のような撮影日時の近い画像や撮影内容の類似した画像等を検索（自動抽出）してグループ化する。利用者は、このような画像の全てを注文するより、写りの良いものを選んで注文することが多く、サムネイル画面に小さく並べて表示するよりも、図４に示すようなポップアップ画面で大きく表示し、比較し易くする方が、プリント注文操作においては効率的である。また、このような画像をグループ化し、代表画像のみをサムネイル画面に表示することで、サムネイル画像の表示数が減少し、プリントを所望する画像を選択するためのページ切り替え回数が少なくて済み、所望の画像を探し出す手間を軽減することができる。
【００４０】
上述したタッチパネル１０の表示制御は制御部１４０により行われる。
【００４１】
次に、図８に示すフローチャートを用いて、本実施形態に係る画像プリントの処理の流れを説明する。なお、このフローでは、グループ化の解除及び再グループ化については省略している。
【００４２】
（ステップＳ１０１）データ入力部１１が画像データの入力を受け付ける。
【００４３】
（ステップＳ１０２）制御部１４０が、入力された画像データから、撮影日時が近い連写画像や、類似画像等を検索し、グループ化画像として設定する。
【００４４】
（ステップＳ１０３）タッチパネル１０のディスプレイに、画像データを縮小したサムネイル画像が表示される。このとき、ステップＳ１０２でグループ化画像として設定された複数の画像が一纏めにされ、代表画像のみがタッチパネル１０に表示される。
【００４５】
（ステップＳ１０４）グループ化画像を展開表示する場合はステップＳ１０５に進み、展開表示しない場合はステップＳ１０６に進む。
【００４６】
（ステップＳ１０５）利用者が、展開表示ボタン３５を押下することで、展開表示領域４０がポップアップ表示され（図４参照）、グループ化されていた複数の画像が展開され、個別に表示される。
【００４７】
（ステップＳ１０６）利用者が、表示されているサムネイル画像からプリント出力する画像を選択し、プリント枚数増減ボタン３４を押して、プリント枚数を指定する。複数の画像をグループ化している場合、タッチパネル１０におけるサムネイル画像の表示数は少なくなっており、利用者は、プリントを所望する画像を容易に探し出すことができる。また、グループ化されていた画像を展開表示している場合は、画像を削除領域４４に適宜移動させることで、展開表示領域４０において画像を順次並べて比較しながら、最良の画像を選択することができる。
【００４８】
利用者は、編集ボタン３３を押下し、タッチパネルの表示を編集画面に切り替え、画像編集加工を行うことができる。
【００４９】
（ステップＳ１０７）プリントを所望する画像の選択、及びプリント枚数の指定が終了し、注文が完了した場合はステップＳ１０８に進む。注文を続ける場合はステップＳ１０４に戻る。
【００５０】
（ステップＳ１０８）利用者からの注文内容に基づく請求金額がタッチパネル１０に表示される。利用者が貨幣を投入すると、課金部１２は投入された貨幣を計数し、釣銭の出金やレシートの印字等を行う。
【００５１】
（ステップＳ１０９）制御部１４０が、プリンタ１３に、注文内容に基づく画像データのプリントを実行させる。
【００５２】
以上のように、本実施形態による画像プリント装置は、連写画像や撮影対象の類似した画像等を検索してグループ化し、グループ化した画像のうち代表画像のみを表示するようにすることができる。これにより、タッチパネル１０に表示されるサムネイル画像の数が減るため、画像プリント装置に記憶媒体や携帯端末から大量の画像データが入力された場合でも、所望の画像を容易に探し出すことができる。
【００５３】
上記第１の実施形態では、展開表示ボタン３５が押下されると展開表示領域４０及び削除領域４４がポップアップ表示される例について説明したが、タッチパネル１０の表示画面が切り替わり、展開表示領域４０及び削除領域４４が表示されてもよい。
【００５４】
あるいはまた、展開表示ボタン３５が押下されると、このグループ化画像についてのみグループ化が解除され、サムネイル画面に並べて表示されるようにしてもよい。この場合、展開された各画像に再グループ化ボタンが設けられ、いずれかの画像の再グループ化ボタンを押下することで、再度、グループ化表示される。利用者は再グループ化ボタンの有無で、サムネイル画面に表示されている画像のうち、グループ化される画像がどれかを判別することができる。
【００５５】
＜第２の実施形態＞
図９は第２の実施形態による画像プリント装置の概略斜視図である。本実施形態は、図１、２に示す第１の実施形態と比較して、筐体１の上部だけでなく、天板１Ａ部分にもタッチパネルが設けられている点が異なる。本実施形態では、天板１Ａ部分に設けられた利用者の手元側に位置するタッチパネルを第１タッチパネル１０Ａ、筐体１の上部に設けられたタッチパネルを第２タッチパネル１０Ｂとする。第１タッチパネル１０Ａへの入力操作を行い易いように、天板１Ａ及び第１タッチパネル１０Ａの画面は、手前側が低く奥側が高くなるようにやや傾斜している。図９において、図２に示す第１の実施形態と同一部分には同一符号を付して説明を省略する。
【００５６】
本実施形態では、画像プリント装置への画像データの入力方法選択画面（例えば、記憶媒体の使用、携帯端末からの赤外線通信、又はスマートフォンからの無線通信）、注意事項の表示画面、注文内容や請求金額の確認画面等の基本操作画面は第１タッチパネル１０Ａに表示される。第１タッチパネル１０Ａのサイズと第２タッチパネル１０Ｂのサイズは同程度である。第１タッチパネル１０Ａ及び第２タッチパネル１０Ｂの表示制御は制御部１４０により行われる。
【００５７】
データ入力部１１が画像データの入力を受け付けると、制御部１４０は、図１０に示すように、画像データを縮小したサムネイル画像を第１タッチパネル１０Ａに表示する。第１タッチパネル１０Ａにおけるサムネイル画像の表示方法は上記第１の実施形態と同様である。即ち、制御部１４０は、互いに近似する複数の画像、例えば連続撮影モードで撮影したような撮影日時の近い画像や、類似度の高い画像、をグループ化画像として設定し、そのうちの代表画像のみを第１タッチパネル１０Ａに表示する。このような画像のグループ化表示により、データ入力部１１を介して大量の画像データが入力された場合でも、第１タッチパネル１０Ａにおけるサムネイル画像の表示数が減少し、プリントを所望する画像を選択するためのページ切り替え回数が少なくて済み、所望の画像を探し出す手間を軽減することができる。
【００５８】
第１タッチパネル１０Ａのグループ化画像の展開表示ボタン３５が押下されると、図１１に示すように、第２タッチパネル１０Ｂに展開表示領域４０及び削除領域４４が表示される。第２タッチパネル１０Ｂの表示領域全体を展開表示領域４０及び削除領域４４に使用することができるため、上記第１の実施形態のように展開表示領域４０及び削除領域４４をポップアップ表示する場合よりも、展開した画像をさらに大きく表示することができ、グループ化していた画像がさらに比較し易くなり、効率良くプリント注文を行うことができる。また、第１タッチパネル１０Ａの表示は切り替わっていないので、第２タッチパネル１０Ｂにグループ化画像を展開表示しながら、合計注文枚数などを確認することができる。
【００５９】
以上のように、本実施形態による画像プリント装置は、連写画像や撮影対象の類似した画像等を検索してグループ化し、グループ化した画像のうちの代表画像のみを表示するようにすることができる。これにより、第１タッチパネル１０Ａに表示されるサムネイル画像の数が減るため、画像プリント装置に記憶媒体や携帯端末から大量の画像データが入力された場合でも、所望の画像を容易に探し出すことができる。また、グループ化した画像は、第１タッチパネル１０Ａとは異なる第２タッチパネル１０Ｂに大きく展開表示され、各画像を容易に比較することができ、プリント注文を効率良く行うことができる。
【００６０】
上記第２の実施形態において、グループ化画像を展開表示していない間は、第２タッチパネル１０Ｂに、利用者から１枚以上のプリント枚数が指定された（プリント注文された）注文画像を表示するようにしてもよい。利用者は、第１タッチパネル１０Ａで注文操作を行いながら、第２タッチパネル１０Ｂにて注文画像を確認することができる。さらに、第２タッチパネル１０Ｂに表示されている注文画像にプリント枚数増減ボタンを設け、プリント枚数を変更できるようにしてもよい。利用者は、第１タッチパネル１０Ａの表示を注文画像が配置されたページに切り替えることなく、第２タッチパネル１０Ｂへの指示によってプリント枚数を容易に変更することができる。
【００６１】
上記第２の実施形態では、第１タッチパネル１０Ａ及び第２タッチパネル１０Ｂの上下に配置された２つのタッチパネルを備える構成について説明したが、１つの大型タッチパネルの表示領域を上下に二分し、下側を第１タッチパネル１０Ａ、上側を第２タッチパネル１０Ｂのように機能させてもよい。例えば、図１２に示すように、筐体１の上部から利用者の手元側まで延びる天板１Ｂの平坦な傾斜面に大型のタッチパネル１０Ｃを設け、タッチパネル１０Ｃの上側と下側とを個別に表示制御する。この場合、データ入力部１１は、例えば筐体１の前面側に設けられる。また、横長の大型タッチパネルの表示領域を左右に二分し、一方を第１タッチパネル１０Ａ、他方を第２タッチパネル１０Ｂのように機能させてもよい。
【００６２】
上記第１及び第２の実施形態では、筐体１内にプリンタ１３を備え、その場でプリント物を出力する画像プリント装置について説明したが、プリンタ１３を省略し、プリント注文の受け付けを行う注文受付端末としてもよい。この場合、注文受付端末には、プリント注文された画像データ及び注文内容を、有線又は無線ネットワークを介してプリンタサーバへ送信する通信部が設けられる。利用者は郵送等によってプリント物を受け取る。
【００６３】
上記第１及び第２の実施形態では、サムネイル画面において、グループ化した画像のうちの１つを代表画像として表示するとしたが、複数の代表画像を表示してもよい。代表画像を複数とする場合、代表画像を１つとする場合よりも各代表画像の表示サイズは小さくなる。
【００６４】
画像のグループ化の条件は、撮影日時や類似度に限定されず、例えば画像データに含まれるＧＰＳデータに基づく撮影場所など、他の条件を用いてもよい。
【００６５】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【符号の説明】
【００６６】
１  筐体
１Ａ  天板
２  開閉扉
１０、１０Ａ、１０Ｂ  タッチパネル
１１  データ入力部
１２  課金部
１３  プリンタ
１４  ＣＰＵ
１５  ディスク装置
１６  メインメモリ
３５  展開表示ボタン
４０  展開表示領域
４４  削除領域
１４０  制御部
【図１】
0006340936.tif 000002
【図２】
0006340936.tif 000003
【図３】
0006340936.tif 000004
【図４】
0006340936.tif 000005
【図５】
0006340936.tif 000006
【図６】
0006340936.tif 000007
【図７】
0006340936.tif 000008
【図８】
0006340936.tif 000009
【図９】
0006340936.tif 000010
【図１０】
0006340936.tif 000011
【図１１】
0006340936.tif 000012
【図１２】
0006340936.tif 000013